(57)【要約】  ネットワークに接続された機器２０に取付けたタグの情報とＩＰアドレスと中継装置１０に割り付けられた識別情報とを対応付けて管理することにより、ネットワークに接続された機器２０の設置位置の把握を極めて容易に行うために、本発明は、ネットワークに接続された機器２０と該ネットワークに接続された機器２０を管理する管理装置３０との間で行われる情報通信を中継する中継装置１０であって、前記ネットワークに接続された機器２０に取り付けられたタグ１０１の情報を取得するタグ情報取得部１０２と、前記タグ情報取得部１０２により読み取られたタグ情報と、前記管理装置３０から割り当てられるＩＰアドレスと、自己に割り付けられた識別情報とを対応付けて管理する管理部１０３と、前記管理装置３０から前記タグ情報又は前記ＩＰアドレスを宛先として送信された情報を受信し、また前記ネットワークに接続された機器２０から送信された情報を受信し、所定の処理を行う処理部１０４とを備えた。
2008120363.tif 000002
【特許請求の範囲】
【請求項１】
ネットワークに接続された機器と該ネットワークに接続された機器を管理する管理装置との間で行われる情報通信を中継する中継装置であって、
前記ネットワークに接続された機器に取り付けられたタグの情報を取得するタグ情報取得部と、
前記タグ情報取得部により読み取られたタグ情報と、前記管理装置から割り当てられるＩＰアドレスと、自己に割り付けられた識別情報とを対応付けて管理する管理部と、
前記管理装置から前記タグ情報又は前記ＩＰアドレスを宛先として送信された情報を受信し、また前記ネットワークに接続された機器から送信された情報を受信し、所定の処理を行う処理部と、
を備えてなる中継装置。
【請求項２】
請求項１に記載の中継装置において、
前記自己に割り付けられた識別情報は当該中継装置又は前記ネットワークに接続された機器が配置されている位置に対応付けられている中継装置。
【請求項３】
請求項１に記載の中継装置において、
前記処理部は、前記所定の処理として、前記管理装置から前記タグ情報又は前記ＩＰアドレスを宛先として送信された情報を受信すると、当該受信に係る旨を表示する中継装置。
【請求項４】
請求項１に記載の中継装置において、
前記管理部は、更に前記ネットワークに接続された機器の識別子を管理している中継装置。
【請求項５】
請求項１に記載の中継装置において、
前記管理部は、更に前記ネットワークに接続された機器の識別子を管理し
前記処理部は、前記所定の処理として、前記管理装置から前記タグ情報又は前記ＩＰアドレスを宛先として送信された情報を受信すると、前記タグ情報又は前記ＩＰアドレスを前記ネットワークに接続された機器の識別子に書き換えて前記ネットワークに接続された機器に送信する中継装置。
【請求項６】
請求項１に記載の中継装置において、
前記処理部は、前記所定の処理として、前記ネットワークに接続された機器から前記管理装置を宛先として送信された情報を受信すると、前記ネットワークに接続された機器の識別子を前記タグ情報に書き換えて前記管理装置に送信する中継装置。
【請求項７】
請求項１に記載の中継装置において、
前記管理装置はＤＨＣＰサーバ装置であり、前記処理部は、前記所定の処理として、前記ネットワークに接続された機器から前記ＤＨＣＰサーバ装置を宛先として送信された情報を受信すると、前記ネットワークに接続された機器のＭＡＣアドレスを前記タグ情報に書き換えて前記ＤＨＣＰサーバ装置に送信する中継装置。
【請求項８】
ネットワークに接続された機器と該ネットワークに接続された機器を管理する管理装置とこれらネットワークに接続された機器と該ネットワークに接続された機器の間で行われる情報通信を中継する中継装置とを備えてなるネットワークに接続された機器の管理システムであって、
前記中継装置は、前記ネットワークに接続された機器に取り付けられたタグの情報を取得するタグ情報取得部と、前記タグ情報取得部により読み取られたタグ情報と、前記管理装置から割り当てられるＩＰアドレスと、自己に割り付けられた識別情報とを対応付けて管理する管理部と、前記管理装置から前記タグ情報又は前記ＩＰアドレスを宛先として送信された情報を受信すると該情報内容に基づいた処理を行うと共に、前記ネットワークに接続された機器から前記管理装置を宛先として送信された情報を受信すると、前記ネットワークに接続された機器の識別子を前記タグ情報に書き換えて前記管理装置に送信するネットワークに接続された機器の管理システム。
【請求項９】
ネットワークに接続された機器と該ネットワークに接続された機器を管理する管理装置との間で行われる情報通信の中継を中継装置のコンピュータに実行させる中継プログラムであって、
前記ネットワークに接続された機器に取り付けられたタグの情報を取得するタグ情報取得ステップと、
前記タグ情報読取ステップにより読み取られたタグ情報と、前記管理装置から割り当てられるＩＰアドレスと、自己に割り付けられた識別情報とを対応付けて管理する管理ステップと、
前記管理装置から前記タグ情報又は前記ＩＰアドレスを宛先として送信された情報を受信し、また前記ネットワークに接続された機器から送信された情報を受信し、所定の処理を行う処理ステップと、
をコンピュータに実行させる中継プログラム。
【請求項１０】
請求項９に記載の中継プログラムにおいて、
前記自己に割り付けられた識別情報は当該中継装置又は前記ネットワークに接続された機器が配置されている位置に対応付けられている中継プログラム。
【請求項１１】
請求項９に記載の中継プログラムにおいて、
前記処理ステップは、前記所定の処理として、前記管理装置から前記タグ情報又は前記ＩＰアドレスを宛先として送信された情報を受信すると、当該受信に係る旨を表示する中継プログラム。
【請求項１２】
請求項９に記載の中継プログラムにおいて、
前記管理ステップは、更に前記ネットワークに接続された機器の識別子を管理している中継プログラム。
【請求項１３】
請求項９に記載の中継プログラムにおいて、
前記管理ステップは、更に前記ネットワークに接続された機器の識別子を管理し、
前記処理ステップは、前記所定の処理として、前記管理装置から前記タグ情報又は前記ＩＰアドレスを宛先として送信された情報を受信すると、前記タグ情報又は前記ＩＰアドレスを前記ネットワークに接続された機器の識別子に書き換えて前記ネットワークに接続された機器に送信する中継プログラム。
【請求項１４】
請求項９に記載の中継プログラムにおいて、
前記処理ステップは、前記所定の処理として、前記ネットワークに接続された機器から前記管理装置を宛先として送信された情報を受信すると、前記ネットワークに接続された機器の識別子を前記タグ情報に書き換えて前記管理装置に送信する中継プログラム。
【請求項１５】
請求項９に記載の中継プログラムにおいて、
前記管理装置はＤＨＣＰサーバ装置であり、前記処理部は、前記所定の処理として、前記ネットワークに接続された機器から前記ＤＨＣＰサーバ装置を宛先として送信された情報を受信すると、前記ネットワークに接続された機器のＭＡＣアドレスを前記タグ情報に書き換えて前記ＤＨＣＰサーバ装置に送信する中継プログラム。
【請求項１６】
ネットワークに接続された機器と該ネットワークに接続された機器を管理する管理装置との間で行われる情報通信の中継を行う中継方法であって、
前記ネットワークに接続された機器に取り付けられたタグの情報を取得するタグ情報取得ステップと、
前記タグ情報取得ステップにより読み取られたタグ情報と、前記管理装置から割り当てられるＩＰアドレスと、自己に割り付けられた識別情報とを対応付けて管理する管理ステップと、
前記管理装置から前記タグ情報又は前記ＩＰアドレスを宛先として送信された情報を受信し、また前記ネットワークに接続された機器から送信された情報を受信し、所定の処理を行う処理ステップと、
を備えてなる中継方法。
【請求項１７】
請求項１６に記載の中継方法において、
前記自己に割り付けられた識別情報は当該中継装置又は前記ネットワークに接続された機器が配置されている位置に対応付けられている中継方法。
【請求項１８】
請求項１６に記載の中継方法において、
前記処理ステップは、前記所定の処理として、前記管理装置から前記タグ情報又は前記ＩＰアドレスを宛先として送信された情報を受信すると、当該受信に係る旨を表示する中継方法。
【請求項１９】
請求項１６に記載の中継方法において、
前記管理ステップは、更に前記ネットワークに接続された機器の識別子を管理し、前記処理ステップは、前記所定の処理として、前記管理装置から前記タグ情報又は前記ＩＰアドレスを宛先として送信された情報を受信すると、前記タグ情報又は前記ＩＰアドレスを前記ネットワークに接続された機器の識別子に書き換えて前記ネットワークに接続された機器に送信する中継方法。
【請求項２０】
請求項１６に記載の中継方法において、
前記処理ステップは、前記所定の処理として、前記ネットワークに接続された機器から前記管理装置を宛先として送信された情報を受信すると、前記ネットワークに接続された機器の識別子を前記タグ情報に書き換えて前記管理装置に送信する中継方法。
【発明の詳細な説明】
【技術分野】
【０００１】
本発明は、ネットワークに接続された機器（コンピュータ等）に取付けられたタグの情報とＩＰアドレスと自己に割り付けられた識別情報とを対応付けて管理する中継装置、その中継プログラム、中継方法、並びにネットワークに接続された機器の管理システムに関するものである。
【背景技術】
【０００２】
ネットワークに接続された機器の管理において、機器に固有の情報（例えばネットワークカードのＭＡＣアドレス）に基づいて、予め定められた特定のＩＰアドレスを動的に割付ける技術（ＤＨＣＰ）が知られている。【０００３】
例えば並列計算を効率化するため、もしくは機器の管理コストを削減するためにネットワークに接続された複数の機器（例えばラックサーバ）を１つの拠点に集約して設置するデータセンタにおいて、この技術が利用されると図１０に示すようにネットワークに接続された機器のＭＡＣアドレスと割り当てられたＩＰアドレスの関係は１対１の関係として管理される。【０００４】
また、データセンタの管理者が個々のネットワークに接続された機器の設置位置、例えばラック１番の２段目の機器を特定するため、例えば、図１１に示すように、機器の設置位置をスロット番号１〜１０として検出し、管理する機構をハードウェアとして備えたブレードサーバが知られている。スロット番号１〜１０は各シリアルポート８０１〜８１０に設定され、ＭＡＣアドレスとＩＰアドレスとスロット番号が対応付けられて、情報管理テーブル８２０として管理されている。【０００５】
また、本発明の関連ある従来技術として、物理位置をエンコードしたＭＡＣアドレスを機器に割り振る技術が知られている（例えば、特許文献１参照）。
【特許文献１】特表２００４−５３３１３９号公報
【発明の開示】
【発明が解決しようとする課題】
【０００６】
しかしながら、図１１に示された上述のブレードサーバはブレード（ネットワークに接続される個々の機器）とベースシャーシ（複数のブレードを組み込むための筐体）８３０の設計が特殊であり、ブレードサーバとネットワークに接続された一般的な機器との共有化は難しい。すなわち、ネットワークに接続された一般的な機器にブレードサーバのような機能はなく、現状では一般的な機器とその設置位置の関係を管理するための機能は必ずしも提供されていない。【０００７】
そのため、データセンタが一般的な機器で構築される場合には、データセンタの管理者がラック番号及びラック内での段の位置とＩＰアドレスとを１対１に対応付け、ＩＰアドレスとネットワークに接続された機器に固有の情報（ネットワークカードのＭＡＣアドレスが利用されることが多い）とを１対１に対応付けるという手法が用いられている。【０００８】
しかし、この場合、図１２に示すようにネットワークに接続された機器が交換される際、ネットワークに接続された機器に固有の情報、例えば、ＭＡＣアドレスが変わってしまうと、管理者はＭＡＣアドレスを保持する機器のネットワークカードを外し交換する機器に取付けるか、ＤＨＣＰサーバの管理情報を修正しなければならず、煩に耐えない。【０００９】
また、図１３に示すように、ネットワークに接続された複数の機器が同時に交換される場合に誤った位置に機器が設置されると、次回の機器交換時に管理者が意図した機器とは別の機器が誤って交換されてしまうおそれがある。【００１０】
本発明は上述の問題を解決するためになされたものであり、ネットワークに接続された機器に取付けられたタグの情報とＩＰアドレスと自己に割り付けられた識別情報とが対応付けられ管理されることで、ネットワークに接続された機器の設置位置の把握を極めて容易にすることができる中継装置、その中継プログラム、中継方法、並びにネットワークに接続された機器の管理システムを提供することを目的としている。
【課題を解決するための手段】
【００１１】
上述した課題を解決するため、本発明は、ネットワークに接続された機器と該ネットワークに接続された機器を管理する管理装置との間で行われる情報通信を中継する中継装置であって、前記ネットワークに接続された機器に取り付けられたタグの情報を取得するタグ情報取得部と、前記タグ情報取得部により読み取られたタグ情報と、前記管理装置から割り当てられるＩＰアドレスと、自己に割り付けられた識別情報とを対応付けて管理する管理部と、前記管理装置から前記タグ情報又は前記ＩＰアドレスを宛先として送信された情報を受信し、また前記ネットワークに接続された機器から送信された情報を受信し、所定の処理を行う処理部とを備えてなるものである。【００１２】
また、本発明は、ネットワークに接続された機器と該ネットワークに接続された機器を管理する管理装置との間で行われる情報通信の中継を中継装置のコンピュータに実行させる中継プログラムであって、前記ネットワークに接続された機器に取り付けられたタグの情報を取得するタグ情報取得ステップと、前記タグ情報取得ステップにより読み取られたタグ情報と、前記管理装置から割り当てられるＩＰアドレスと、自己に割り付けられた識別情報とを対応付けて管理する管理ステップと、前記管理装置から前記タグ情報又は前記ＩＰアドレスを宛先として送信された情報を受信し、また前記ネットワークに接続された機器から送信された情報を受信し、所定の処理を行う処理ステップとをコンピュータに実行させるものである。【００１３】
また、本発明は、ネットワークに接続された機器と該ネットワークに接続された機器を管理する管理装置とこれらネットワークに接続された機器と該ネットワークに接続された機器の間で行われる情報通信を中継する中継装置とを備えてなるネットワークに接続された機器を管理するシステムであって、前記ネットワークに接続された機器に取り付けられたタグの情報を取得するタグ情報取得部と、前記タグ情報取得部により読み取られたタグ情報と、前記管理装置から割り当てられるＩＰアドレスと、自己に割り付けられた識別情報とを対応付けて管理する管理部と、前記管理装置から前記タグ情報又は前記ＩＰアドレスを宛先として送信された情報を受信すると該情報内容に基づいた処理を行うと共に、前記ネットワークに接続された機器から前記管理装置を宛先として送信された情報を受信すると、前記ネットワークに接続された機器の識別子を前記タグ情報に書き換えて前記管理装置に送信するものである。【００１４】
また、本発明は、ネットワークに接続された機器と該ネットワークに接続された機器を管理する管理装置との間で行われる情報通信の中継を行う中継方法であって、前記ネットワークに接続された機器に取り付けられたタグの情報を取得するタグ情報取得ステップと、前記タグ情報取得ステップにより読み取られたタグ情報と、前記管理装置から割り当てられるＩＰアドレスと、自己に割り付けられた識別情報とを対応付けて管理する管理ステップと、前記管理装置から前記タグ情報又は前記ＩＰアドレスを宛先として送信された情報を受信し、また前記ネットワークに接続された機器から送信された情報を受信し、所定の処理を行う処理ステップとを実行するものである。
【図面の簡単な説明】
【００１５】
【図１】本発明の実施の形態１に係る中継装置の構成の一例を示すブロック図である。
【図２】実施の形態１に係るネットワークに接続された機器側のネットワークポートからパケットが受信される場合の中継装置の動作を示すフローチャートである。
【図３】実施の形態１に係るネットワーク側のネットワークポートからパケットが受信される場合の中継装置の動作を示すフローチャートである。
【図４】実施の形態１に係る管理用端末装置に表示される画面の一例を示す図（その１）である。
【図５】実施の形態１に係る管理用端末装置に表示される画面の一例を示す図（その２）である。
【図６】実施の形態１に係る管理用端末装置に表示される画面の一例を示す図（その３）である。
【図７】実施の形態１に係る中継装置の第１の配置の一例を示す図である。
【図８】実施の形態１に係る中継装置の第２の配置の一例を示す図である。
【図９】本発明の実施の形態２に係る中継装置の構成の一例を示すブロック図である。
【図１０】従来のネットワークに接続された機器の管理方式の一例を示すブロック図である。
【図１１】従来のブレードサーバの構成の一例を示すブロック図である。
【図１２】従来のネットワークに接続された機器の管理方式の第１の問題点を示すブロック図である。
【図１３】従来のネットワークに接続された機器の管理方式の第２の問題点を示すブロック図である。
【発明を実施するための最良の形態】
【００１６】
以下、本発明の実施の形態について図面を参照しつつ説明する。【００１７】
実施の形態１．
まず、実施の形態１に係る中継装置の構成について説明する。【００１８】
図１は、実施の形態１に係る中継装置の構成の一例を示すブロック図である。【００１９】
中継装置１０はタグ１０１の情報を読み取って取得するタグ情報取得部１０２、管理部１０３、処理部１０４、ＩＤランプ１０５、ネットワークポート１０６、ネットワークポート１０７を備える。【００２０】
ネットワークに接続された機器２０はデータの送受信を行うネットワークポート２０１を備え、ＭＡＣアドレスを自己の識別情報として保持している。また、ネットワークに接続された機器２０には、タグ１０１が付設されている。管理装置３０はタグ１０１の情報であるタグ情報とＩＰアドレスとが対応付けられ管理されている管理テーブル３０１を備える。【００２１】
なお、実施の形態１において、ネットワークに接続された機器２０はラックサーバ、管理装置３０はＤＨＣＰサーバをそれぞれ想定している。【００２２】
管理用端末装置４０はネットワークを介して複数のネットワークに接続された機器２０に接続し、これらを管理する。【００２３】
タグ１０１はネットワークに接続された機器２０に貼り付けられており、タグ情報取得部１０２が読み取ることのできるタグ情報を保持している。タグ情報取得部１０２はタグ１０１の保持するタグ情報を読み取る。タグ１０１は例えば無線ＩＣタグで構成され、タグ情報取得部１０２はリード・ライト装置で構成されることができる。なお、タグ１０１は無線ＩＣタグの他に、光や磁気を用いて識別情報が読み取れるような構成を有していてもよい。この場合、例えばタグ情報は物理的な突起の有無、バーコード、あるいは電磁的情報のような方式で保持されるように構成され得る。なお、タグ情報は従来のＭＡＣアドレスと同様に４８ｂｉｔの数値であっても、より少ないビット数で十分な場合には１６ｂｉｔの数値であっても良い。あるいは，コンピュータで電子的に取り扱うことができる形式の文字列などの情報であってもよい。そして、タグ情報取得部１０２はタグ１０１の情報保持方式に応じた読み取り装置を便宜備えるものとする。【００２４】
中継装置１０の処理部１０４はネットワークに接続された機器２０から送信され、ネットワークに接続された機器２０がＩＰアドレスを取得するための要求であるＤＨＣＰ要求パケットに付加されたＭＡＣアドレスを取得し、タグ情報と置き換え、管理装置３０に送信する。また、処理部１０４は位置情報把握コマンドを受け、応答を返す。また、処理部１０４は管理装置３０からのコマンドに応じてＩＤランプ１０５を点灯または点滅させる。【００２５】
中継装置１０の管理部１０３は管理テーブル１０３ａを備え、管理テーブル１０３ａにはタグ情報、ＭＡＣアドレス、ＩＰアドレス、位置情報（識別情報）が対応付けられて管理されている。【００２６】
ＩＤランプ１０５はネットワークポート１０６またはネットワークポート１０７からのコマンドに応じて点灯、または点滅する。なお、ＩＤランプ１０５は管理者が識別するためのものであって、例えばブザーなどの音声を鳴動させる装置であっても構わない。また、ＩＤランプ１０５は備えられていなくても構わない。【００２７】
中継装置１０のネットワークポート１０６は、ネットワークに接続された機器２０とネットワークケーブルで接続され、中継装置１０のネットワークポート１０７は管理装置３０とネットワークを介して接続される。【００２８】
管理装置３０の管理テーブル３０１はＭＡＣアドレスの代用であるタグ情報とＩＰアドレスが対応づけられて管理されるものであり、タグ情報とＩＰアドレスは管理装置３０の管理者によって登録される。【００２９】
図２は中継装置１０がネットワークに接続された機器２０側のネットワークポートからパケットを受信する場合の中継装置の動作を示すフローチャートである。なお、図２において、タグ１０１はタグ情報取得部１０２によって読み取られ、そのタグ情報は管理部１０３内の管理テーブル１０３ａが保持しているものとする。【００３０】
まず、中継装置１０の処理部１０４はネットワークに接続された機器２０側のネットワークポート１０６からパケットを受信する（Ｓ１０１）。【００３１】
パケットを受信した処理部１０４は受信したパケットが位置情報把握コマンドのパケットかどうかを判断する（Ｓ１０２）。【００３２】
位置情報把握コマンドのパケットであると判断された場合（Ｓ１０２，ＹＥＳ）、処理部１０４は、位置情報把握コマンドのパケットに含まれている引数が中継装置１０の管理部１０３が保持するタグ情報、またはＩＰアドレスと一致するかどうかを判断する（Ｓ１０３）。【００３３】
そして、引数が管理部１０３の保持するタグ情報、またはＩＰアドレスのいずれかと一致した場合（Ｓ１０３，ＹＥＳ）、処理部１０４は管理部１０３が保持する位置情報をネットワークポート１０６から応答として返す（Ｓ１０５）。【００３４】
一方、Ｓ１０３の判断において、引数がタグ情報、ＩＰアドレスのどちらとも一致しない場合（Ｓ１０３，ＮＯ）、処理部１０４はネットワーク側のネットワークポート１０７からパケットを送出する（Ｓ１０７）。【００３５】
また、Ｓ１０２の判断において、パケットが位置情報把握コマンドのパケットではないと判断された場合（Ｓ１０２，ＮＯ）、処理部１０４はそのパケットがＤＨＣＰ要求パケットかどうかを判断する（Ｓ１０４）。【００３６】
そして、パケットがＤＨＣＰ要求パケットであると判断された場合（Ｓ１０４，ＹＥＳ）、処理部１０４はパケットに含まれるＭＡＣアドレスを管理部１０３に記録させ、パケットのＭＡＣアドレス部分をタグ情報に書き換え（Ｓ１０６）、ネットワークポート１０７からパケットを送出する（Ｓ１０７）。【００３７】
一方、Ｓ１０４の判断において、パケットがＤＨＣＰ要求パケットではないと判断された場合（Ｓ１０４，ＮＯ）、処理部１０４はネットワークポート１０７からパケットを送出する（Ｓ１０７）。【００３８】
図３は中継装置１０がネットワーク側のネットワークポートからパケットを受信する場合の中継装置の動作を示すフローチャートである。なお、図３において、タグ１０１はタグ情報取得部１０２によって読み取られ、そのタグ情報は管理部１０３内の管理テーブル１０３ａが保持しているものとする。【００３９】
まず、中継装置１０の処理部１０４はネットワーク側のネットワークポート１０７からパケットを受信する（Ｓ２０１）。【００４０】
パケットを受信した処理部１０４は受信したパケットが位置情報把握コマンドのパケットかどうかを判断する（Ｓ２０２）。【００４１】
パケットが位置情報把握コマンドのパケットであると判断された場合（Ｓ２０２，ＹＥＳ）、処理部１０４は、位置情報把握コマンドのパケットに含まれている引数が中継装置１０の管理部１０３が保持するタグ情報、またはＩＰアドレスと一致するかどうかを判断する（Ｓ２０３）。【００４２】
そして、引数が管理部１０３の保持するＩＰアドレスのいずれかと一致した場合（Ｓ２０３，ＹＥＳ）、処理部１０４は管理部１０３が保持する位置情報をネットワークポート１０７から応答として返す（Ｓ２０５）。【００４３】
一方、Ｓ２０３の判断において、引数が記憶されているＩＰアドレスと一致しない場合（Ｓ２０３，ＮＯ）、処理部１０４はネットワークに接続された機器側のネットワークポート１０６からパケットを送出する（Ｓ２０７）。【００４４】
また、Ｓ２０２の判断において、パケットが位置情報把握コマンドのパケットではないと判断された場合（Ｓ２０２，ＮＯ）、処理部１０４はそのパケットがＤＨＣＰ応答パケットかどうかを判断する（Ｓ２０４）。【００４５】
そして、パケットがＤＨＣＰ応答パケットであると判断された場合（Ｓ２０４，ＹＥＳ）、処理部１０４はパケットに含まれるＩＰアドレスを管理部１０３に記録させ、パケットのタグ情報部分をＭＡＣアドレスに書き換え（Ｓ２０６）、ネットワークポート１０６からパケットを送出する（Ｓ２０７）。【００４６】
一方、Ｓ２０４の判断において、パケットがＤＨＣＰ応答パケットではないと判断された場合（Ｓ２０４，ＮＯ）、処理部１０４はネットワークポート１０６からパケットを送出する（Ｓ２０７）。【００４７】
なお、（Ｓ１０３，ＹＥＳ）、（Ｓ２０３，ＹＥＳ）のステップにおいて、処理部１０４はＩＤランプ１０５を点灯させても、点滅させてもよい。このＩＤランプ１０５を点灯させることにより、管理者はタグ情報又はＩＰアドレスを引数として、それを有するネットワークに接続された機器２０の設置場所を視認することができる。このＩＤランプ１０５は、ブザーなど音声表示するものであっても良い。【００４８】
図４（Ａ）〜図４（Ｄ）、図５（Ａ）〜図５（Ｄ）はそれぞれ管理用端末装置４０に表示される画面を示す図である。【００４９】
以下、図４（Ａ）〜図４（Ｄ）を用いてＩＰアドレスを引数として位置情報が得られる場合の画面表示を説明する。【００５０】
まず、システムからのメッセージを表示させるコマンドが入力され＜図４（Ａ）＞、ＩＰアドレス１９２．１６８．１０．３１のネットワークに接続された機器２０にメンテナンスが必要であると表示される＜図４（Ｂ）＞。ＩＰアドレスを用いて該機器２０の位置情報を得るためのコマンドが入力され＜図４（Ｃ）＞、該機器２０の位置情報（ラック３番の２段目）が表示される＜図４（Ｄ）＞。【００５１】
以下、図５（Ａ）〜図５（Ｄ）を用いてタグ情報を引数として位置情報が表示される場合、ネットワークに接続された任意の機器２０が見つからなかった場合の画面表示を説明する。【００５２】
まず、タグ情報を用いてネットワークに接続された任意の機器２０の位置情報を問い合わせるコマンドが入力され＜図５（Ａ）＞、該機器２０の位置情報が表示される＜図５（Ｂ）＞。【００５３】
次に、ＩＰアドレスを用いて位置情報を問い合わせるコマンドが入力され＜図５（Ｃ）＞、入力されたＩＰアドレスを持つネットワークに接続された機器２０が見つからなかった旨が表示される＜図５（Ｄ）＞。【００５４】
また、これらの情報は図６（Ａ）〜図６（Ｃ）のようにＧＵＩによって表示されても良い。【００５５】
以下、図７及び図８を用いて複数の中継装置を配置したネットワークに接続された機器の位置把握方法を説明する。【００５６】
図７、図８は実施の形態１に係る中継装置の配置例を示すブロック図である。なお、図７は全てが所定の場所へ配置されている状態を示し、図８はネットワークに接続された機器の一部が所定の場所とは異なる場所へ配置されている状態を示している。【００５７】
図７において、タグが付設され、ネットワークを通じて管理装置３０に接続された同型のネットワークに接続された機器２０ａ、２０ｂ、２０ｃがラック内に設置されている。中継装置１０ａ、１０ｂ、１０ｃは１台の機器２０に対して１台設置され、接続されている。また、それぞれの中継装置１０の管理部１０３には位置情報が入力されている。例えば１０ａの中継装置は１−１段目という情報を保持している。【００５８】
一方、図８においては、図７に対して、それぞれに外付けされたタグ１０１と共に、ネットワークに接続された機器２０ａの配置とネットワークに接続された機器２０ｂの配置が入れ替わっている。ＩＰアドレスはタグ情報に対して割り当てられるため、ＩＰアドレスも同様に入れ替わっている。【００５９】
この配置は管理者の意図した配置とは異なるが、例えばＩＰアドレス１９２．１６８．１．１１が割り当てられたネットワークに接続された機器２０ｂに何らかの対処がされなくてはならない場合でも、ＩＰまたはタグ情報を引数として位置情報（１−１段目）が取得されれば、正しい位置を把握することができ、対処することができる。【００６０】
実施の形態２．
実施の形態１ではネットワークに接続された１台の機器に対して１台の中継装置を設置したが、実施の形態２ではネットワークに接続された複数の機器に対して１台の中継装置が接続される場合について説明する。【００６１】
図９はその構成図である。この図において、図１と同一符号は図１に示された対象と同一又は相当物を示しており、ここでの説明を省略する。【００６２】
構成において、実施の形態１とは異なっているのは中継装置５０が複数のタグ５０１ａ〜５０１ｈを読み取ることができる複数のタグ情報取得部５０２ａ〜５０２ｈと、複数のＩＤランプ５０５ａ〜５０５ｈと、ネットワークに接続された複数の機器２０側のネットワークポート５０６ａ〜５０６ｈとを備えていること、また複数のタグ情報、ＩＰアドレス、位置情報を対応付けて管理するための管理テーブル５０３ａを管理部内に保持していることである。【００６３】
また、動作においては、実施の形態１と異なっているのは処理部５０４がそれぞれ複数のＭＡＣアドレス、ＩＰアドレス、タグ情報を判断し、所定の処理をすることである。また、処理部５０４が引数に対して応答を返す場合、処理部は管理部５０３の保持するＩＰアドレス、タグ情報と一致するかどうかの判断だけではなく、管理テーブル５０３ａを参照し、引数に応じた位置情報またはポート番号を応答として返すことが実施の形態１とは異なる。【００６４】
なお、実施の形態１と同様に、ＩＤランプはブザーであっても良く、任意のネットワークポートによって異なる音声を鳴らしても良い。またＩＤランプ、ブザーが備えられていなくても良い。また、ネットワークに接続された機器２０側のネットワークポートはいくつであっても良い。【００６５】
なお、以上の説明において、本発明の管理ステップは、実施の形態１における処理Ｓ１０６、Ｓ２０６に対応する。また、本発明の処理ステップは、実施の形態１における処理Ｓ１０２、Ｓ１０３、Ｓ１０４、Ｓ１０５、Ｓ１０６、Ｓ２０２、Ｓ２０３、Ｓ２０４、Ｓ２０５、Ｓ２０６に対応する。【００６６】
なお、本実施の形態で図示したフローチャートやステップに示された各動作をコンピュータにより実行させるプログラムを提供することにより、本発明の中継装置の中継プログラムを提供することができる。これらプログラムはコンピュータにより読取可能な媒体に記録されてコンピュータにより実行させることができる。コンピュータは、パーソナルコンピュータのようなホスト装置、試験装置のコントローラ、記憶装置のＭＰＵやＣＰＵのようなコントローラなどを含む。ここで、コンピュータにより読取可能な媒体としては、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【産業上の利用可能性】
【００６７】
以上説明したように、本発明によれば、ネットワークに接続された機器に取付けたタグの情報とＩＰアドレスと中継装置に割り付けられた識別情報とを対応付けて管理することが可能になり、ネットワークに接続された機器の設置位置の把握を極めて容易にすることができる。
【図１】
2008120363.tif 000003
【図２】
2008120363.tif 000004
【図３】
2008120363.tif 000005
【図４】
2008120363.tif 000006
【図５】
2008120363.tif 000007
【図６】
2008120363.tif 000008
【図７】
2008120363.tif 000009
【図８】
2008120363.tif 000010
【図９】
2008120363.tif 000011
【図１０】
2008120363.tif 000012
【図１１】
2008120363.tif 000013
【図１２】
2008120363.tif 000014
【図１３】
2008120363.tif 000015
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
ネットワークに接続された機器と該ネットワークに接続された機器を管理する管理装置との間で行われる情報通信を中継する中継装置であって、
前記ネットワークに接続された機器に取り付けられたタグの情報を取得するタグ情報取得部と、
前記タグ情報取得部により読み取られたタグ情報と、前記管理装置から割り当てられるＩＰアドレスと、自己に割り付けられた識別情報とを対応付けて管理する管理部と、
前記管理装置から前記タグ情報又は前記ＩＰアドレスを宛先として送信された情報を受信し、また前記ネットワークに接続された機器から送信された情報を受信し、所定の処理を行う処理部と、
を備えてなる中継装置。
【請求項２】
請求項１に記載の中継装置において、
前記自己に割り付けられた識別情報は当該中継装置又は前記ネットワークに接続された機器が配置されている位置に対応付けられている中継装置。
【請求項３】
請求項１または請求項２に記載の中継装置において、
前記処理部は、前記所定の処理として、前記管理装置から前記タグ情報又は前記ＩＰアドレスを宛先として送信された情報を受信すると、当該受信に係る旨を表示する中継装置。
【請求項４】
請求項１乃至請求項３のいずれかに記載の中継装置において、
前記管理部は、更に前記ネットワークに接続された機器の識別子を管理し
前記処理部は、前記所定の処理として、前記管理装置から前記タグ情報又は前記ＩＰアドレスを宛先として送信された情報を受信すると、前記タグ情報又は前記ＩＰアドレスを前記ネットワークに接続された機器の識別子に書き換えて前記ネットワークに接続された機器に送信する中継装置。
【請求項５】
請求項１乃至請求項３のいずれかに記載の中継装置において、
前記処理部は、前記所定の処理として、前記ネットワークに接続された機器から前記管理装置を宛先として送信された情報を受信すると、前記ネットワークに接続された機器の識別子を前記タグ情報に書き換えて前記管理装置に送信する中継装置。
【請求項６】
ネットワークに接続された機器と該ネットワークに接続された機器を管理する管理装置とこれらネットワークに接続された機器と該ネットワークに接続された機器の間で行われる情報通信を中継する中継装置とを備えてなるネットワークに接続された機器の管理システムであって、
前記中継装置は、前記ネットワークに接続された機器に取り付けられたタグの情報を取得するタグ情報取得部と、前記タグ情報取得部により読み取られたタグ情報と、前記管理装置から割り当てられるＩＰアドレスと、自己に割り付けられた識別情報とを対応付けて管理する管理部と、前記管理装置から前記タグ情報又は前記ＩＰアドレスを宛先として送信された情報を受信すると該情報内容に基づいた処理を行うと共に、前記ネットワークに接続された機器から前記管理装置を宛先として送信された情報を受信すると、前記ネットワークに接続された機器の識別子を前記タグ情報に書き換えて前記管理装置に送信するネットワークに接続された機器の管理システム。
【請求項７】
ネットワークに接続された機器と該ネットワークに接続された機器を管理する管理装置との間で行われる情報通信の中継を中継装置のコンピュータに実行させる中継プログラムであって、
前記ネットワークに接続された機器に取り付けられたタグの情報を取得するタグ情報取得ステップと、
前記タグ情報読取ステップにより読み取られたタグ情報と、前記管理装置から割り当てられるＩＰアドレスと、自己に割り付けられた識別情報とを対応付けて管理する管理ステップと、
前記管理装置から前記タグ情報又は前記ＩＰアドレスを宛先として送信された情報を受信し、また前記ネットワークに接続された機器から送信された情報を受信し、所定の処理を行う処理ステップと、
をコンピュータに実行させる中継プログラム。
【請求項８】
ネットワークに接続された機器と該ネットワークに接続された機器を管理する管理装置との間で行われる情報通信の中継を行う中継方法であって、
前記ネットワークに接続された機器に取り付けられたタグの情報を取得するタグ情報取得ステップと、
前記タグ情報取得ステップにより読み取られたタグ情報と、前記管理装置から割り当てられるＩＰアドレスと、自己に割り付けられた識別情報とを対応付けて管理する管理ステップと、
前記管理装置から前記タグ情報又は前記ＩＰアドレスを宛先として送信された情報を受信し、また前記ネットワークに接続された機器から送信された情報を受信し、所定の処理を行う処理ステップと、
を備えてなる中継方法。
【国際調査報告】
2008120363.tif 000016
2008120363.tif 000017